(57)【要約】【課題】ディスクユニットが備えるトレイ上に載置されたディスクが脱落するのを防止する。【解決手段】トレイ５の上面に形成され、凹状に窪んだ第１ディスク載置部５ａの前部の周面５ｂは、ディスクＤＫの周面ＤＫＰが３点で接触する形状を有しているため、例えばトレイ５の前側が下に傾いた場合に、重力が働いて当該ディスク載置部５ａ内においてディスクＤＫがトレイ５の前方側に移動しても、当該ディスクＤＫは、ディスクＤＫの周面ＤＫＰがディスク載置部５ａの前部の周面５ｂと３点（３箇所）で接触することから、静止摩擦力が増大し、ディスクＤＫをディスク載置部５ａ内に保持することができ、ディスク搬送時にディスクＤＫがディスク載置部５ａから位置ずれしたり、ディスクＤＫがトレイ５から脱落するのを防止できる。【選択図】図５
2008033976.tif 000002
【特許請求の範囲】
【請求項１】
ディスク搬出動作によりユニットケースの前方に押し出され、ディスク搬入動作により前記ユニットケース内に引き込まれるトレイを備え、前記トレイの上面にはディスクが載置される凹状に窪んだディスク載置部が形成され、前記ディスク載置部の少なくとも前部の周面は前記ディスクの周面が少なくとも２点で接触する形状を有することを特徴とするディスクユニット。
【請求項２】
前記ディスク載置部の前部の周面は、互いに交差する２つの直線部を少なくとも一組有することを特徴とする請求項１に記載のディスクユニット。
【請求項３】
前記ディスク載置部の前記２つの直線部は、多角形状の一部を成すものであることを特徴とする請求項１又は２に記載のディスクユニット。
【請求項４】
前記ディスク載置部を第１ディスク載置部として、該第１ディスク載置部の上面に、前記ディスクより小径の小径ディスクが載置される凹状に窪んだ第２ディスク載置部がさらに形成され、前記第２ディスク載置部の少なくとも前部の周面は、前記小径ディスクの周面が少なくとも２点で接触する形状を有することを特徴とする請求項１乃至３の何れかに記載のディスクユニット。
【請求項５】
前記第２ディスク載置部の前部の周面は、互いに交差する２つの直線部を少なくとも一組有することを特徴とする請求項４に記載のディスクユニット。
【請求項６】
請求項１乃至５の何れかに記載のディスクユニットを備えたことを特徴とするディスク装置。
【発明の詳細な説明】
【技術分野】
【０００１】
本発明は、記憶媒体であるディスクを搬送するためのトレイを備えたディスクユニット及びこのディスクユニットを備えたディスク装置に関する。
【背景技術】
【０００２】
従来、ＤＶＤやＣＤ等のディスクを載置するトレイを備え、これらのディスクの再生を可能とする、或いはディスクの記録及び再生を可能とするディスクユニットがあり、そのユニットごと装置本体に収容する内蔵タイプのディスクユニットがある。
【０００３】
そして、前記内蔵タイプのディスクユニットを内蔵したディスク装置として、例えば、ＤＶＤ（デジタル・バーサタイル・デイスク）の再生装置（ＤＶＤプレーヤ）や記録再生装置（ＤＶＤレコーダ）、或いは、これらの装置とＶＣＲ（ビデオカセットレコーダ）やカセットテープレコーダ、ＨＤＤ（ハード・ディスク・ドライブ）等とを組み合わせた複合型の映像音響装置などがある。
【０００４】
ところで、前記ディスクユニットが備えるトレイの上面にはディスク搬送時にディスクが位置ずれするのを防止するため、円形の凹状の窪み（ディスク載置部）が設けられているものがある（例えば特許文献１参照）。
【０００５】
【特許文献１】特開平９−２８２７５９号公報（要約書、段落［００２７］、図２）
【発明の開示】
【発明が解決しようとする課題】
【０００６】
図９に従来のディスクユニットが備えるトレイの一例を示す。同図（ａ）はトレイの左側面図、（ｂ）はトレイの平面図、（ｃ）はディスクを載置した状態のトレイであって（ｂ）の一点鎖線で囲まれた部分の拡大図である。また、同図の紙面下側がディスクユニットの前方側を示している。同図（ａ），（ｂ）に示すように、従来のトレイ５００には円形に凹状に窪んだディスク載置部５００ａが形成されている。このディスク載置部５００ａにディスクＤＫを載置することで、ディスク搬送時にディスクＤＫがトレイ５００上の所定の位置からずれることを防止することができる。このとき、ディスク載置部５００の成す円の直径はディスクＤＫよりも若干大きく設定されるのが一般的である。
【０００７】
ところで、ユーザによっては、前記ディスクユニットが内蔵されたディスク装置を室内の壁面の比較的高い位置に設置して使用することがある。このような場合、例えばディスク装置の前面側を下に傾けて設置することで、ディスクＤＫのディスク装置への出し入れを行い易くすることができる。
【０００８】
しかしながら、ディスク装置の前面側を下に傾けて設置して使用する場合、重力が働きディスクＤＫがディスク載置部５００ａ内においてトレイ５００の前方側に移動することで、図９（ｃ）に示すようにディスク載置部５００ａの前部の周面５００ｂとディスクＤＫの周面ＤＫＰとが点線で囲まれた部分（１点）でのみ接触する。したがって、ディスク載置部５００ａに載置されたディスクＤＫは、ディスク載置部の前部の周面５００ｂとディスクＤＫの周面ＤＫＰとの間の１つの接触点でのみ支持されるため、前記接触点において生じる静止摩擦力が小さいため、ディスク搬送時にディスクＤＫがディスク載置部５００ａから位置ずれしたり、最悪の場合には、ディスクＤＫがトレイ５００から脱落するおそれがあった。
【０００９】
本発明は、ディスクユニットが備えるトレイ上に載置されたディスクが脱落するのを防止することを目的とする。
【課題を解決するための手段】
【００１０】
上記した目的を達成するために、本発明のディスクユニットは、ディスク搬出動作によりユニットケースの前方に押し出され、ディスク搬入動作により前記ユニットケース内に引き込まれるトレイを備え、前記トレイの上面にはディスクが載置される凹状に窪んだディスク載置部が形成され、前記ディスク載置部の少なくとも前部の周面は前記ディスクの周面が少なくとも２点で接触する形状を有することを特徴としている（請求項１）。
【００１１】
又、請求項１に記載のディスクユニットにおいて、前記ディスク載置部の前部の周面は、互いに交差する２つの直線部を少なくとも一組有することを特徴としている（請求項２）。
【００１２】
又、請求項１又は２に記載のディスクユニットにおいて、前記ディスク載置部の前記２つの直線部は、多角形状の一部を成すものであることを特徴としている（請求項３）。
【００１３】
つぎに、請求項１乃至３の何れかに記載のディスクユニットにおいて、前記ディスク載置部を第１ディスク載置部として、該第１ディスク載置部の上面に、前記ディスクより小径の小径ディスクが載置される凹状に窪んだ第２ディスク載置部がさらに形成され、前記第２ディスク載置部の少なくとも前部の周面は、前記小径ディスクの周面が少なくとも２点で接触する形状を有することを特徴としている（請求項４）。
【００１４】
さらに、請求子４に記載のディスクユニットにおいて、前記第２ディスク載置部の前部の周面は、互いに交差する２つの直線部を少なくとも一組有することを特徴としている（請求項５）。
【００１５】
そして、本発明のディスク装置は、請求項１乃至５の何れかに記載のディスクユニットを備えたことを特徴としている（請求項６）。
【発明の効果】
【００１６】
まず、請求項１の発明によれば、トレイの上面に形成され、凹状に窪んだディスク載置部の少なくとも前部の周面は、ディスクの周面が少なくとも２点で接触する形状を有している。そのため、前記ディスク載置部にディスクが載置された状態で、例えばトレイの前側が下に傾いた場合に、重力が働いて当該ディスク載置部内においてディスクがトレイの前方側に移動しても、当該ディスク周面とディスク載置部の前部の周面とが少なくとも２点（２箇所）で接触するから、静止摩擦力が増大し、ディスクをディスク載置部内に保持することができる。したがって、ディスクが１つの接触点でのみ支持される従来のトレイと比較して、ディスク搬送時にディスクがディスク載置部から位置ずれしたり、ディスクがトレイから脱落するのを確実に防止することができる。
【００１７】
又、請求項２の発明によれば、ディスク載置部の前部の周面は、互いに交差する２つの直線部を少なくとも一組有するように形成されているため、ディスク周面は当該２つの直線部と接触し、トレイ前側が下に傾いても、ディスクの周面をディスク載置部の前部の周面と少なくとも２点で確実に接触させることができる。
【００１８】
又、請求項３の発明によれば、ディスクの周面が接触する直線部を多角形状の一部を成すように構成することで、ディスク載置部を多角形状に形成することができ、例えばユニットケースを直線的な形状とした場合に、当該ユニットケースの形状とディスク載置部の形状とを統一された直線的なデザインとすることができ、意匠的な美感の向上を図ることができる。
【００１９】
つぎに、請求項４の発明によれば、第２ディスク載置部の少なくとも前部の周面は、小径ディスクの周面が少なくとも２点（２箇所）で接触する形状を有しているため、第２ディスク載置部に載置された小径ディスクの周面は、第２ディスク載置部の前部の周面と少なくとも２点で接触することから、１点で接触する場合に比べて静止摩擦力が増大し、ディスク搬送時に小径ディスクが第２ディスク載置部から位置ずれしたり、小径ディスクがトレイから脱落するのを防止できる。
【００２０】
加えて、請求項５の発明によれば、第２ディスク載置部の前部の周面を、互いに交差する２つの直線部を少なくとも一組有するように形成することで、第２ディスク載置部の形状を直線部を含んだ形状とすることができる。したがって、第１ディスク載置部にディスクを繰り返し載置した場合に、第２ディスク載置部の周縁部分とディスクの裏面の同じ場所とが繰り返し接触するのを防止できる。すなわち、第２ディスク載置部の形状が従来のように円形状であれば、第２ディスク載置部の円形状の周縁部分とディスクの裏面の同じ場所とが繰り返し接触するが、第２ディスク載置部の形状が直線部を含む形状であれば、第２ディスク載置部の周縁とディスクの裏面の同じ場所とが繰り返し接触するのを防止できる。よって、ディスクの裏面に傷がほぼ同一箇所に集中して生じるのを効果的に防止することができる。
【００２１】
そして、請求項６の発明によれば、請求項１乃至５の何れかに記載のディスクユニットを備えることにより、ディスク装置の前側を下に傾けて設置した場合であっても、ディスク搬送時にトレイからディスクが脱落するのを効果的に防止することができる。
【発明を実施するための最良の形態】
【００２２】
つぎに、本発明をより詳細に説明するため、その一実施形態について、図１〜図５にしたがって詳述する。
【００２３】
図１はディスク装置のトレイの搬出状態を示す斜視図である。図２はディスク装置のトレイの搬入状態を示す斜視図である。図３はディスク装置に内蔵されたディスクユニットのトレイの搬出状態を示す右側面図である。また、図４はディスク装置が内蔵するディスクユニットのトレイのが搬入状態を示す右側面図である。図５は図３及び図４に示すディスクユニットが備えるトレイを示す図であって、（ａ）はトレイの左側面図、（ｂ）はトレイの平面図、（ｃ）はディスクを載置した状態のトレイであって（ｂ）の一点鎖線で囲まれた部分の拡大図である。
【００２４】
図１及び図２に示すディスク装置１０の筐体状の装置本体１１内には周知の構造を有するディスクユニット１００（図３及び図４参照）が内蔵されており、ユニットケース１０１の下部四隅に形成された取り付け片９が、装置本体１１内の所定の個所にねじ止め等で固定されることでディスクユニット１００が配設されている。なお、ディスク装置１０は、例えば、前記のＤＶＤプレーヤ、ＤＶＤレコーダ、或いは、これらとＶＣＲやカセットテーブレコーダ、ＨＤＤ等とを組み合わせた複合型の映像音響装置である。
【００２５】
ディスク装置１０の装置本体１１内に配設されるディスクユニット１００は本実施形態では、図３及び図４に例示するとおりである。すなわち、ディスクユニット１００はＤＶＤ、ＣＤ等のディスクの光学的な再生或いは記録及び再生の機能を有し、ディスクユニット１００を構成するユニットケース１０１の前面が底面と両側壁とを有する略Ｕ字形状に形成され、横長で且つ上方が開放されたトレイ開口１０２が形成されている。そして、このトレイ開口１０２から出入可能にディスクＤＫを載置して搬送するトレイ５が前記ユニットケース１０１に組み付けられている。
【００２６】
ユニットケース１０１には、周知のディスクユニットと同様、ディスクＤＫの搬入、搬出の際にトレイ駆動機構（図示省略）によって前後方向に直線往復運動可能に組み付けられたディスクを載置するためのトレイ５（図５参照）と、このトレイ５の前記直線往復運動に連動して前記トレイ５の移動方向と直交する方向に摺動動作するラックローディング（図示省略）と、このラックローディングの摺動動作に連動してユニットケース１０１の内部で傾動動作するシャーシ（図示省略）と、このシャーシに取り付けられたディスク回転用のターンテーブル（図示省略）と、このターンテーブルに装着されて回転するディスクの光学的な記録、或いは再生を行うためのピックアップユニット（図示省略）と、このピックアップユニットをターンテーブル上にあるディスクの面横断方向に往復直線移動するガイド機構（図示省略）等が設けられている。
【００２７】
そして、前記装置本体１１内にディスクユニット１００のユニットケース１０１が固定され、装置本体１１の前面側を担うフロントパネル１１ａの中央寄りの部分には、ユニットケース１０１に形成されたトレイ開口１０２とほぼ重合する位置にトレイ出入用の開口部１２が形成され、この開口部１２に化粧用のトレイ扉１３が取り付けられている。このトレイ扉１３は、トレイ５の搬出の際に上端部が垂直状態から手前に倒れるように開口部１２を開放し、その逆にトレイ５の搬入の際に元に起立して開口部１２を閉塞するように、フロントパネル１１ａに回動可能に取り付けられている。なお、常時は、例えば図示しないばね等の付勢手段によりトレイ扉１３が閉じて開口部１２を閉塞している。
【００２８】
又、前記フロントパネル１１ａの右側下部には、トレイ５の搬入／搬出動作や、ディスクユニット１００に収納されたディスクＤＫの記録或いは再生等に必要な複数個の操作ボタン１４が設けられている。
【００２９】
そして、ディスクの再生あるいは記録を行なうため、複数の操作ボタン１４のなかからユーザがフロントパネル１１ａに設けられたトレイ５の「オープン／クローズ」の操作ボタンを押すと、ディスク装置１０に内蔵されたディスクユニット１００のトレイ駆動機構が動作してディスク搬出動作を行い、前記トレイ５はユニットケース１０１から前方へ突出すべく移動を開始する。前記トレイ５の動作に連動してトレイ扉１３が開口部１２を開放し、ディスクユニット１００のユニットケース１０１から前方に押し出されたトレイ５は、トレイ開口１０２、及びフロントパネル１１ａに形成されたトレイ出入用の開口部１２を介して装置本体１１の前方に押し出されてディスク装置１０から搬出される（図１及び図３参照）。
【００３０】
この状態で、ユーザーがトレイ５にディスクＤＫを載置した後、例えば前述したトレイ５の「オープン／クローズ」の操作ボタンを再度押すことによって、前記トレイ駆動機構が動作してディスク搬入動作を行い、ディスクＤＫを載置した状態のトレイ５が前記開口部１２を介してディスクユニット１００のユニットケース１０１内へと引き込まれ、前記トレイ５の引き込み動作に連動してトレイ扉１３がフロントパネル１１ａに形成されたトレイ出入用の開口部１２を閉塞する方向へと回動する（図２及び図４参照）。
【００３１】
次に、ディスクユニット１００が備えるトレイ５について図５を参照して説明する。同図（ａ），（ｂ）に示すように、トレイ５の上面にはディスクＤＫが載置される凹状に窪んだ第１ディスク載置部５ａが形成されている。また、第１ディスク載置部の上面には、ディスクＤＫより小径の小径ディスク（図示省略）が載置される凹状に窪んだ第２ディスク載置部６ａが形成されている。なお、同図の紙面下側がディスクユニットの前方側を示している（後で説明する変形例の図面についても同様である）。
【００３２】
又、図５（ｂ）に示すように、前記第１ディスク載置部５ａは、ほぼ正八角形状に形成されており、前部側の周面５ｂには本発明の互いに交差する直線部として、直線部５ｂ１，５ｂ２及び直線部５ｂ２，５ｂ３の二組が形成されている。このように、直線部５ｂ１〜５ｂ３は八角形状の一部を成している。また、同図（ｃ）に示すように、第１ディスク載置部５ａの前部の周面５ｂの直線部５ｂ１〜５ｂ３は、ディスクＤＫの周面ＤＫＰと点線で囲まれた３点（３箇所）で接触するように構成されている。
【００３３】
又、図５（ｂ）に示すように、第２ディスク載置部６ａは、意匠的な美感向上のために第１ディスク載置部５ａとほぼ相似形状を成すように形成されており、その前部の周面６ｂには本発明の互いに交差する直線部として、直線部６ｂ１，６ｂ２及び直線部６ｂ２，６ｂ３の二組が形成されている。したがって、第１ディスク載置部５ａと同様に、第２ディスク載置部６ａの前部の周面６ｂの直線部６ｂ１〜６ｂ３は、小径ディスクの周面と３点（３箇所）で接触することができる。
【００３４】
そして、本実施形態におけるディスクユニット１００の動作をさらに詳述すると、トレイ５の搬入動作に連動して、前記トレイ５と連結されたラックローディングが前記トレイ５の移動方向と直交する方向へと摺動し、前記ラックローディングの摺動動作に連動してユニットケース１０１に取付けられたシャーシが前記ユニットケース１０１と連結された後端部を支点としてその前端部が上方へと傾動し、トレイ５が搬出されたときには傾斜状態にあった前記シャーシは、前記トレイ５が搬入されたときには水平状態となる。
【００３５】
また、このシャーシにはターンテーブルやピックアップユニット等が取付けられ、前記シャーシの傾動動作により、トレイ５に載置されたディスクＤＫが前記ターンテーブルによって僅かに持ち上げられ、また、ターンテーブルとクランパ（図示省略）とによって前記ディスクが回転自在に挟持される。
【００３６】
そして、ターンテーブルが回転駆動されることによってディスクＤＫが、例えば９０００ｒｐｍで高速回転し、ディスクＤＫの記録面に前記ピックアップユニットより照射されるレーザー光により、周知の光学的手法でディスクの情報の読み取り（再生）或いは書き込み（記録）が行なわれる。
【００３７】
このとき、トレイ５の上面に形成され、凹状に窪んだ第１ディスク載置部５ａの前部の周面５ｂは、ディスクＤＫの周面ＤＫＰが３点で接触する形状を有している。そのため、ディスク載置部５ａにディスクＤＫが載置された状態で、例えばトレイ５の前側が下に傾いた場合に、重力が働いて当該ディスク載置部５ａ内においてディスクＤＫがトレイ５の前方側に移動しても、当該ディスクＤＫの周面ＤＫＰとディスク載置部５ａの前部の周面５ｂとが３点（３箇所）で接触するから、静止摩擦力が増大し、ディスクＤＫをディスク載置部内５ａに保持することができる。したがって、ディスク載置部５ａに載置されたディスクＤＫは、ディスク載置部５ａの前部の周面５ｂとディスクＤＫの周面ＤＫＰとの間の３つの接触点で支持されるため、ディスクＤＫが１つの接触点でのみ支持される従来のトレイ５００（図９参照）と比較して、ディスク搬送時にディスクＤＫがディスク載置部５ａから位置ずれしたり、ディスクＤＫがトレイ５から脱落するのを確実に防止することができる。
【００３８】
又、ディスク載置部５ａの前部の周面５ｂは、互いに交差する２つの直線部５ｂ１〜５ｂ３として、直線部５ｂ１，５ｂ２及び直線部５ｂ２及び５ｂ３の二組有するように形成されているため、ディスク周面ＤＫＰは当該３つの直線部５ｂ１〜５ｂ３と接触し、トレイ前側が下に傾いてもディスクＤＫの周面ＤＫＰをディスク載置部５ａの前部の周面５ｂと少なくとも３点で確実に接触させることができる。
【００３９】
又、ディスクＤＫの周面ＤＫＰが接触する直線部５ｂ１〜５ｂ３が八角形状の一部を成すように構成されているため、ユニットケース１０１やディスク装置１０を直線的な形状（デザイン）とした場合に、ユニットケース１０１やディスク装置１０の外観とディスク載置部５ａの形状とを統一された直線的なデザインとすることができ、意匠的な美感の向上を図ることができる。
【００４０】
又、第２ディスク載置部６ａの前部の周面６ｂは、小径ディスクの周面が３点（３箇所）で接触する形状を有しているため、第２ディスク載置部６ａに載置された小径ディスクの周面は、第２ディスク載置部６ａの前部の周面６ｂと３点で接触することから、１点で接触する場合に比べて静止摩擦力が増大し、ディスク搬送時に小径ディスクが第２ディスク載置６ａから位置ずれしたり、小径ディスクがトレイ５から脱落するのを防止できる。
【００４１】
又、第２ディスク載置部６ｂの前部の周面６ｂを、互いに交差する直線部６ｂ１〜６ｂ３を含む八角形状に形成することで、第１ディスク載置部５ａにディスクＤＫを繰り返し載置した場合に、第２ディスク載置部６ａの周縁部分とディスクＤＫの裏面の同じ場所とが繰り返し接触するのを防止できる。すなわち、第２ディスク載置部６ａの形状が従来のように円形状であれば（図９参照）、従来の第２ディスク載置部の円形状の周縁部分とディスクＤＫの裏面の同じ場所とが繰り返し接触するが、第２ディスク載置部６ａの形状が直線部を含む八角形状であれば、第２ディスク載置部６ａの周縁とディスクＤＫの裏面の同じ場所とが繰り返し接触するのを防止できる。よって、ディスクＤＫの裏面のほぼ同一箇所に集中して傷が生じるのを効果的に防止することができる。
【００４２】
そして、上記したトレイ５が設けられたディスクユニット１０１を備えることにより、ディスク装置１０の前側を下に傾けて設置した場合であっても、ディスク搬送時にトレイ５からディスクＤＫが脱落するのを効果的に防止することができる。
【００４３】
＜変形例１＞
トレイ５の変形例について図６を参照して説明する。図６はディスクユニットが備えるトレイの変形例を示す図であって、（ａ）はトレイの左側面図、（ｂ）はトレイの平面図、（ｃ）はディスクを載置した状態のトレイであって（ｂ）の一点鎖線で囲まれた部分の拡大図である。同図（ａ），（ｂ）に示すように、トレイ５１の上面にはディスクＤＫが載置される凹状に窪んだ第１ディスク載置部５１ａが形成されている。また、第１ディスク載置部の上面には、ディスクＤＫより小径の小径ディスクが載置される凹状に窪んだ第２ディスク載置部６１ａが形成されている。このトレイ５１が上記したトレイ５と異なる点は、第１及び第２ディスク載置部５１ａ，６１ａの平面形状が異なる点であり、その他の構成は上記したトレイ５と同様である。したがって、以下では、同一符号及び相当符号を付して、上記したトレイ５と異なる構成のみ説明し、その他の構成及び動作については説明を省略する。
【００４４】
図６（ｂ）に示すように、前記第１ディスク載置部５１ａは、ひし形形状の両鋭角部分を切り落とした形状で、正六角形を扁平に変形した形状の一部を成すように形成されており、前部側の周面５１ｂには本発明の互いに交差する直線部として、直線部５１ｂ１，５１ｂ２の一組が形成されている。このように、直線部５１ｂ１，５１ｂ２はひし形状の一部を成している。また、同図（ｃ）に示すように、第１ディスク載置部５１ａの前部の周面５１ｂの直線部５１ｂ１，５１ｂ２は、ディスクＤＫの周面ＤＫＰと点線で囲まれた２点（２箇所）で接触するように構成されている。
【００４５】
又、図６（ｂ）に示すように、第２ディスク載置部６１ａは第１ディスク載置部５１ａとほぼ相似形状を成すように形成されており、その前部の周面６１ｂには本発明の互いに交差する直線部として、直線部６１ｂ１，６１ｂの一組が形成されている。したがって、第１ディスク載置部５１ａと同様に、第２ディスク載置部６１ａの前部の周面６１ｂの直線部６１ｂ１，６１ｂ２は、小径ディスクの周面と２点（２箇所）で接触することができる。
【００４６】
したがって、ディスク載置部５１ａに載置されたディスクＤＫは、ディスク載置部５１ａの前部の周面５１ｂとディスクＤＫの周面ＤＫＰとの間の２つの接触点で支持されるため、静止摩擦力が増大し、ディスクＤＫが１つの接触点でのみ支持される従来のトレイ５００（図９参照）と比較して、ディスク搬送時にディスクＤＫがディスク載置部５１ａから位置ずれしたり、ディスクＤＫがトレイ５１から脱落するのを防止できるなど、上記した構成と同様の作用効果を奏することができる。
【００４７】
＜変形例２＞
トレイ５の変形例を図７を参照して説明する。図７はディスクユニットが備えるトレイの変形例を示す図であって、（ａ）はトレイの左側面図、（ｂ）はトレイの平面図、（ｃ）はディスクを載置した状態のトレイであって（ｂ）の一点鎖線で囲まれた部分の拡大図である。同図（ａ），（ｂ）に示すように、トレイ５２の上面にはディスクＤＫが載置される凹状に窪んだ第１ディスク載置部５２ａが形成されている。また、第１ディスク載置部の上面には、ディスクＤＫより小径の小径ディスクが載置される凹状に窪んだ第２ディスク載置部６２ａが形成されている。このトレイ５２が上記したトレイ５，５１と異なる点は、第１及び第２ディスク載置部５２ａ，６２ａの平面形状が異なる点であり、その他の構成は上記したトレイ５，５１と同様である。したがって、以下では、同一符号及び相当符号を付して、上記したトレイ５，５１と異なる構成のみ説明し、その他の構成及び動作については説明を省略する。
【００４８】
図７（ｂ）に示すように、前記第１ディスク載置部５２ａは、ほぼ正六角形状の一部を成すように形成されており、前部側の周面５２ｂには本発明の互いに交差する直線部として、直線部５２ｂ１，５２ｂ２の一組が形成されている。このように、直線部５２ｂ１，５２ｂ２は六角形状の一部を成している。また、同図（ｃ）に示すように、第１ディスク載置部５２ａの前部の周面５２ｂの直線部５２ｂ１，５２ｂ２は、ディスクＤＫの周面ＤＫＰと点線で囲まれた２点（２箇所）で接触するように構成されている。
【００４９】
又、図７（ｂ）に示すように、第２ディスク載置部６２ａは第１ディスク載置部５２ａとほぼ相似形状を成すように形成されており、その前部の周面６２ｂには本発明の互いに交差する直線部として、直線部６２ｂ１，６２ｂ２の一組が形成されている。したがって、第１ディスク載置部５２ａと同様に、第２ディスク載置部６２ａの前部の周面６２ｂの直線部６２ｂ１，６２ｂ２は、小径ディスクの周面と２点（２箇所）で接触することができる。
【００５０】
したがって、ディスク載置部５２ａに載置されたディスクＤＫは、ディスク載置部５２ａの前部の周面５２ｂとディスクＤＫの周面ＤＫＰとの間の２つの接触点で支持されるため、静止摩擦力が増大し、ディスクＤＫが１つの接触点でのみ支持される従来のトレイ５００（図９参照）と比較して、ディスク搬送時にディスクＤＫがディスク載置部５２ａから位置ずれしたり、ディスクＤＫがトレイ５２から脱落するのを防止できるなど、上記した構成と同様の作用効果を奏することができる。
【００５１】
＜変形例３＞
トレイ５の変形例を図８を参照して説明する。図８はディスクユニットが備えるトレイの変形例を示す図であって、（ａ）はトレイの左側面図、（ｂ）はトレイの平面図、（ｃ）はディスクを載置した状態のトレイであって（ｂ）の一点鎖線で囲まれた部分の拡大図である。同図（ａ），（ｂ）に示すように、トレイ５３の上面にはディスクＤＫが載置される凹状に窪んだ第１ディスク載置部５３ａが形成されている。また、第１ディスク載置部の上面には、ディスクＤＫより小径の小径ディスクが載置される凹状に窪んだ第２ディスク載置部６３ａが形成されている。このトレイ５３が上記したトレイ５，５１，５２と異なる点は、第１及び第２ディスク載置部５３ａ，６３ａの平面形状が異なる点であり、その他の構成は上記したトレイ５，５１，５２と同様である。したがって、以下では、同一符号及び相当符号を付して、上記したトレイ５，５１，５２と異なる構成のみ説明し、その他の構成及び動作については説明を省略する。
【００５２】
図８（ｂ）に示すように、前記第１ディスク載置部５３ａは、円形状のトレイ前面部側（同図下側）の一部を矩形状に切り欠いた形状に形成されている。また、同図（ｃ）に示すように、第１ディスク載置部５３ａの前部の周面５３ｂは、ディスクＤＫの周面ＤＫＰと点線で囲まれた２点（２箇所）で接触するように構成されている。
【００５３】
又、図８（ｂ）に示すように、第２ディスク載置部６３ａは第１ディスク載置部５３ａとほぼ相似形状を成すように形成されている。したがって、第１ディスク載置部５３ａと同様に、第２ディスク載置部６３ａの前部の周面６３ｂは、小径ディスクの周面と２点（２箇所）で接触することができる。
【００５４】
したがって、ディスク載置部５３ａに載置されたディスクＤＫは、ディスク載置部５３ａの前部の周面５３ｂとディスクＤＫの周面ＤＫＰとの間の２つの接触点で支持されるため、静止摩擦力が増大し、ディスクＤＫが１つの接触点でのみ支持される従来のトレイ５００（図９参照）と比較して、ディスク搬送時にディスクＤＫがディスク載置部５３ａから位置ずれしたり、ディスクＤＫがトレイ５３から脱落するのを防止できるなど、上記した構成と同様の作用効果を奏することができる。
【００５５】
＜その他＞
なお、本発明は上述した実施形態に限定されるものではなく、その趣旨を逸脱しない限りにおいて上述したもの以外に種々の変更を行うことが可能であり、例えば、本発明の「ディスク載置部（第２ディスク載置部も含む）」の形状は多角形状に限られず、図９に示すように、ディスク載置部の少なくとも前部の周面がディスクＤＫの周面ＤＫＰと少なくとも２点で接触する形状であればどのような形状であってもよい。例えば、ディスク載置部の後部の形状を円形状に、前部の形状を多角形状に形成してもよい。又、多角形状としては、上記した八角形状、ひし形状、六角形状に限られず、五角形であってもよいことは言うまでもない。又、ディスク載置部の前部の周面が、鋸歯のようなギザギザの形状であって、２点以上でディスク周面が接触するように形成されていてもよい。
【００５６】
又、上記した実施形態では、第２ディスク載置部６ａ，６１ａ，６２ａ，６３ａが形成されたトレイ５，５１，５２，５３について説明したが、第２ディスク載置部が形成されず、第１ディスク載置部のみ形成されたトレイを採用してももちろんよい。
【００５７】
又、ディスク載置部の前部の周面が有する互いに交差する２つの直線部の組の数は、トレイ５，５１，５２のように一組又は２組に限られず、何組有していてもよい。
【００５８】
又、装置本体１１内に配設するディスクユニット１００としては、上記した構成に限られるものではなく、その他の周知の構成を採用することができる。さらに、ディスク装置１０は、その装置本体１１やトレイ扉１３の形状・構造等はどのようなものであってもよい。
【図面の簡単な説明】
【００５９】
【図１】本発明の一実施形態におけるディスク装置のトレイの搬出状態を示す斜視図である。
【図２】同上、ディスク装置のトレイの搬入状態を示す斜視図である。
【図３】同上、ディスク装置が内蔵するディスクユニットのトレイの搬出状態を示す右側面図である。
【図４】同上、ディスク装置が内蔵するディスクユニットのトレイの搬入状態を示す右側面図である。
【図５】同上、ディスクユニットが備えるトレイを示す図である。
【図６】同上、ディスクユニットが備えるトレイの変形例を示す図である。
【図７】同上、ディスクユニットが備えるトレイの変形例を示す図である。
【図８】同上、ディスクユニットが備えるトレイの変形例を示す図である。
【図９】従来のディスクユニットが備えるトレイの一例を示す図である。
【符号の説明】
【００６０】
１００  ディスクユニット
１０１  ユニットケース
１０  ディスク装置
５，５１，５２，５３  トレイ
５ａ，５１ａ，５２ａ，５３ａ  第１ディスク載置部
６ａ，６１ａ，６２ａ，６３ａ  第２ディスク載置部
５ｂ，５１ｂ，５２ｂ，５３ｂ  周面
５ｂ１〜５ｂ３，５１ｂ１，５１ｂ２，５２ｂ１，５２ｂ２  直線部
６ｂ，６１ｂ，５２ｂ，６３ｂ  周面
６ｂ１〜６ｂ３，６１ｂ１，６１ｂ２，６２ｂ１，６２ｂ２  直線部
ＤＫ  ディスク
ＤＫＰ  ディスクの周面
【図１】
2008033976.tif 000003
【図２】
2008033976.tif 000004
【図３】
2008033976.tif 000005
【図４】
2008033976.tif 000006
【図５】
2008033976.tif 000007
【図６】
2008033976.tif 000008
【図７】
2008033976.tif 000009
【図８】
2008033976.tif 000010
【図９】
2008033976.tif 000011